Podtech/llm-jp-corpus-v4-ja_patent huggingface dataset:
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
映像信号を処理する映像処理装置であって、
前記映像信号に重畳するグラフィックス信号を生成する生成手段と、
前記映像信号にスケーリング処理を施す第１スケーリング処理手段及び第２スケーリング処理手段と、
前記生成手段によって生成されるグラフィックス信号に応じた前記スケーリング処理に関する情報を管理する管理手段と、
前記管理手段によって管理された情報及び前記映像信号の解像度に基づいて、前記第１スケーリング処理手段及び前記第２スケーリング処理手段が前記映像信号に施すスケーリング処理のそれぞれを制御する制御手段と、
を有することを特徴とする映像処理装置。
【請求項２】
前記管理手段は、前記情報として、
前記グラフィックス信号を生成するために前記生成手段が実行するアプリケーションごとに、前記第１スケーリング処理手段及び前記第２スケーリング処理手段のそれぞれが前記映像信号に施すべきスケーリング処理を表すスケーリング情報と、
前記アプリケーションの動作状態を表すアプリケーション情報と、
を管理することを特徴とする請求項１に記載の映像処理装置。
【請求項３】
前記管理手段は、前記アプリケーションの動作状態として、前記アプリケーションの実行、及び、前記アプリケーションの停止を管理することを特徴とする請求項２に記載の映像処理装置。
【請求項４】
前記第１スケーリング処理手段は、前記スケーリング処理が施された映像信号のレイアウトを行うレイアウト手段を含むことを特徴とする請求項１乃至３のうちいずれか１項に記載の映像処理装置。
【請求項５】
前記第２スケーリング処理手段は、前記スケーリング処理が施された映像信号から、指定された部分の映像信号を切り出す切り出し手段を含むことを特徴とする請求項１乃至４のうちいずれか１項に記載の映像処理装置。
【請求項６】
前記制御手段は、前記第１スケーリング処理手段及び前記第２スケーリング処理手段のそれぞれが前記映像信号に施すスケーリング処理の拡大率を算出して前記第１スケーリング処理手段及び前記第２スケーリング処理手段のそれぞれに設定し、
前記第１スケーリング処理手段及び前記第２スケーリング処理手段のそれぞれは、前記制御手段によって設定された拡大率に従って、前記映像信号にスケーリング処理を施すことを特徴とする請求項１乃至５のうちいずれか１項に記載の映像処理装置。
【請求項７】
前記第１スケーリング処理手段及び前記第２スケーリング処理手段によってスケーリング処理が施された映像信号と前記生成手段によって生成されたグラフィックス信号との合成信号を出力する出力手段を更に有し、
前記制御手段は、前記第１スケーリング処理手段及び前記第２スケーリング処理手段のそれぞれに設定される拡大率が変更される場合に、前記出力手段による前記合成信号の出力を停止することを特徴とする請求項６に記載の映像処理装置。
【請求項８】
映像信号に重畳するグラフィックス信号を生成する生成手段と、前記映像信号にスケーリング処理を施す第１スケーリング処理手段及び第２スケーリング処理手段とを備え、前記映像信号を処理する映像処理装置の制御方法であって、
管理手段が、前記生成手段によって生成されるグラフィックス信号に応じた前記スケーリング処理に関する情報を管理する管理ステップと、
制御手段が、前記管理ステップで管理された情報及び前記映像信号の解像度に基づいて、前記第１スケーリング処理手段及び前記第２スケーリング処理手段が前記映像信号に施すスケーリング処理のそれぞれを制御する制御ステップと、
を有することを特徴とする制御方法。
【請求項９】
前記管理ステップでは、前記情報として、
前記グラフィックス信号を生成するために前記生成手段が実行するアプリケーションごとに、前記第１スケーリング処理手段及び前記第２スケーリング処理手段のそれぞれが前記映像信号に施すべきスケーリング処理を表すスケーリング情報と、
前記アプリケーションの動作状態を表すアプリケーション情報と、
を管理することを特徴とする請求項８に記載の制御方法。
【請求項１０】
前記管理ステップでは、前記アプリケーションの動作状態として、前記アプリケーションの実行、及び、前記アプリケーションの停止を管理することを特徴とする請求項９に記載の制御方法。
【請求項１１】
レイアウト手段が、前記第１スケーリング処理手段によって前記スケーリング処理が施された映像信号のレイアウトを行うステップを更に有することを特徴とする請求項８乃至１０のうちいずれか１項に記載の制御方法。
【請求項１２】
切り出し手段が、前記第２スケーリング処理手段によって前記スケーリング処理が施された映像信号から、指定された部分の映像信号を切り出すステップを更に有することを特徴とする請求項８乃至１１のうちいずれか１項に記載の制御方法。
【請求項１３】
前記制御ステップでは、前記第１スケーリング処理手段及び前記第２スケーリング処理手段のそれぞれが前記映像信号に施すスケーリング処理の拡大率を算出して前記第１スケーリング処理手段及び前記第２スケーリング処理手段のそれぞれに設定し、
前記第１スケーリング処理手段及び前記第２スケーリング処理手段のそれぞれは、前記制御ステップで設定された拡大率に従って、前記映像信号にスケーリング処理を施すことを特徴とする請求項８乃至１２のうちいずれか１項に記載の制御方法。
【請求項１４】
出力手段が、前記第１スケーリング処理手段及び前記第２スケーリング処理手段によってスケーリング処理が施された映像信号と前記生成手段によって生成されたグラフィックス信号との合成信号を出力する出力ステップを更に有し、
前記制御ステップでは、前記第１スケーリング処理手段及び前記第２スケーリング処理手段のそれぞれに設定される拡大率が変更される場合に、前記出力ステップでの前記合成信号の出力を停止することを特徴とする請求項１３に記載の制御方法。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
第１の通信方式に対応したデータ端末装置に接続されると共に、第２の通信方式により通信ネットワークに無線接続する無線通信装置であって、
前記データ端末装置及び前記通信ネットワークから受信したデータについて、当該データの内容を判定し、前記内容に応じて前記データ端末装置又は前記通信ネットワークへ予め設定された時間分遅延させてデータを送信することを特徴とする無線通信装置。
【請求項２】
前記データ端末装置から受信したデータがコマンドである場合に、当該コマンドに対する前記データ端末装置への応答を予め設定された時間分遅延させて送信することを特徴とする、請求項１記載の無線通信装置。
【請求項３】
前記通信ネットワークから受信したデータの応答信号を前記データ端末装置へ送信する際に、前記予め設定された時間分遅延させることを特徴とする、請求項１または請求項２記載の無線通信装置。
【請求項４】
前記予め設定された時間分遅延させてデータを送信する機能を起動するか否かを設定可能であることを特徴とする、請求項１〜３のいずれか１項に記載の無線通信装置。
【手続補正２】
【補正対象書類名】明細書
【補正対象項目名】０００８
【補正方法】変更
【補正の内容】
【０００８】
本発明は上記実情に鑑みて為されたもので、従来の通信方式に対応したデータ端末装置を変更することなく新たな方式の無線通信装置に置き換えが可能になる、無線通信装置を提供することを目的とする。
【手続補正３】
【補正対象書類名】明細書
【補正対象項目名】０００９
【補正方法】変更
【補正の内容】
【０００９】
上記従来例の問題点を解決するための本発明は、第１の通信方式に対応したデータ端末装置に接続されると共に、第２の通信方式により通信ネットワークに無線接続する無線通信装置であって、データ端末装置及び通信ネットワークから受信したデータについて、当該データの内容を判定し、その内容に応じてデータ端末装置又は通信ネットワークへ予め設定された時間分遅延させてデータを送信することを特徴とする。
なお、データ端末装置から受信したデータがコマンドである場合に、当該コマンドに対するデータ端末装置への応答を予め設定された時間分遅延させて送信することが好ましい。
また、前記通信ネットワークから受信したデータの応答信号を前記データ端末装置へ送信する際に、前記予め設定された時間分遅延させることが好ましい。
さらに、前記予め設定された時間分遅延させてデータを送信する機能を起動するか否かを設定可能であることが好ましい。
なお、従来の機種が何であったかをＡＴコマンド（モデム制御用コマンド）で設定することで、ＡＴコマンドの入力や応答コード表示、更には、データ送信時のタイミング等、全てにおいて動作を変えることなく、第１の通信方式と第２の通信方式の置き換えが可能になる。
【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
物体の鏡面反射色と拡散反射色とを合成し、前記物体の反射色を決定する色処理方法であって、
表示装置のダイナミックレンジに収まるように鏡面反射色を圧縮する圧縮ステップと、
前記物体の鏡面反射色と拡散反射色との合成比率を決定する決定ステップと、
前記決定ステップにより決定された合成比率に従って鏡面反射色と拡散反射色とを合成し、前記物体の反射色を算出する算出ステップとを含むことを特徴とする色処理方法。
【請求項２】
入力された第１の色空間における物体の画像データを第２の色空間の画像データに変換する変換ステップと、
前記物体が配置される仮想三次元空間における所定の照明条件と前記変換ステップで生成された前記第２の色空間の画像データとに基づいて、前記物体の鏡面反射色と拡散反射色とを算出する第１の算出ステップと、
表示装置のダイナミックレンジに収まるように鏡面反射色を圧縮する圧縮ステップと、
前記物体の鏡面反射色と拡散反射色との合成比率を決定する決定ステップと、
前記決定ステップにより算出された合成比率に従って鏡面反射色と拡散反射色とを合成し、前記物体の反射色を算出する第２の算出ステップとを含むことを特徴とする色処理方法。
【請求項３】
前記決定ステップは、前記圧縮ステップにより圧縮された鏡面反射色に応じて合成比率を決定することを特徴とする請求項１又は２に記載の色処理方法。
【請求項４】
前記決定ステップは、鏡面反射色の合成比率と拡散反射色の合成比率とが反比例の関係になるように合成比率を決定することを特徴とする請求項１乃至３の何れか１項に記載の色処理方法。
【請求項５】
前記合成比率と前記鏡面反射色とがリニアな関係をとることを特徴とする請求項１乃至４の何れか１項に記載の色処理方法。
【請求項６】
コンピュータに、請求項１乃至５の何れか１項に記載された色処理方法の各ステップを実行させるためのプログラム。
【請求項７】
物体の鏡面反射色と拡散反射色とを合成し、前記物体の反射色を決定する色処理装置であって、
表示装置のダイナミックレンジに収まるように鏡面反射色を圧縮する圧縮手段と、
前記物体の鏡面反射色と拡散反射色との合成比率を決定する決定手段と、
前記決定手段により決定された合成比率に従って鏡面反射色と拡散反射色とを合成し、前記物体の反射色を算出する算出手段とを有することを特徴とする色処理装置。
【請求項８】
入力された第１の色空間における物体の画像データを第２の色空間の画像データに変換する変換手段と、
前記物体が配置される仮想三次元空間における所定の照明条件と前記変換手段で生成された前記第２の色空間の画像データとに基づいて、前記物体の鏡面反射色と拡散反射色とを算出する第１の算出手段と、
表示装置のダイナミックレンジに収まるように鏡面反射色を圧縮する圧縮手段と、
前記物体の鏡面反射色と拡散反射色との合成比率を決定する決定手段と、
前記決定手段により算出された合成比率に従って鏡面反射色と拡散反射色とを合成し、前記物体の反射色を算出する第２の算出手段とを有することを特徴とする色処理装置。
【手続補正２】
【補正対象書類名】明細書
【補正対象項目名】０００８
【補正方法】変更
【補正の内容】
【０００８】
本発明の色処理方法は、物体の鏡面反射色と拡散反射色とを合成し、前記物体の反射色を決定する色処理方法であって、表示装置のダイナミックレンジに収まるように鏡面反射色を圧縮する圧縮ステップと、前記物体の鏡面反射色と拡散反射色との合成比率を決定する決定ステップと、前記決定ステップにより決定された合成比率に従って鏡面反射色と拡散反射色とを合成し、前記物体の反射色を算出する算出ステップとを含むことを特徴とする。
【手続補正３】
【補正対象書類名】明細書
【補正対象項目名】０００９
【補正方法】変更
【補正の内容】
【０００９】
本発明によれば、ダイナミックレンジが広くない表示装置を使って鏡面反射色を含んだソフトプルーフ処理を行う際に、物体の色の再現性を保ちつつ、同時に光沢の再現をすることが可能となる。
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
シャッタ速度である所定の同調速を有するフォーカルプレーンシャッタと、
被写体を、前記フォーカルプレーンシャッタを介して撮像して画像データを得る撮像面を有する撮像手段と、
前記被写体を照明する閃光を発光する閃光発光手段と、
前記撮像手段によって得られた前記画像データをライブビュー画像として表示する表示手段と、
前記閃光発光手段を発光動作させて前記撮像手段により前記被写体を撮像する際に必要とされる前記フォーカルプレーンシャッタの前記同調速を算出し設定する同調速設定手段と、
前記同調速設定手段により設定された前記設定同調速が前記フォーカルプレーンシャッタの同調速よりも高速の場合、前記撮像面のうち前記閃光発光が照射されると判定される撮像領域のみから画像データを切り出し、前記撮像領域から切り出した前記画像データをライブビュー画像として表示させる制御手段と、
を具備することを特徴とする撮像装置。
【請求項２】
前記画像データを記録するメモリ部を有し、
前記制御手段は、前記シャッタ速度である設定同調速が前記フォーカルプレーンシャッタの同調速よりも高速の場合、前記撮像面のうち前記閃光発光が照射されない撮像領域を除き、前記閃光発光が照射される前記撮像領域を記録領域とし、前記閃光発光手段を発光動作させて前記撮像手段による撮像動作を行わせ、当該記録領域から取得される前記画像データを前記メモリ部に記録する、
ことを特徴とする請求項１記載の撮像装置。
【請求項３】
前記制御手段は、前記閃光発光が照射される前記撮像領域のサイズよりも前記メモリ部への記録サイズを小さく設定することを特徴とする請求項２記載の撮像装置。
【請求項４】
前記フォーカルプレーンシャッタは、先幕シャッタと後幕シャッタとが同一方向に走行する構成であり、
前記制御手段は、前記後幕シャッタの走行開始から前記先幕シャッタが全開するまでの差分時間を求め、この差分時間を前記後幕シャッタの走行時間で除算して取得される数値に対応する前記撮像面の領域を前記閃光発光が照射されない前記撮像領域と判定する、
ことを特徴とする請求項２記載の撮像装置。
【請求項５】
前記先幕シャッタの全開タイミングから前記閃光発光手段により前記閃光を発光するまでの遅延時間を記憶する不揮発メモリを有し、
前記制御手段は、前記不揮発メモリが記憶された前記遅延時間を読み出し、前記差分時間に加算して補正差分時間とし、前記閃光発光が照射されない前記撮像領域を求める、
ことを特徴とする請求項４記載の撮像装置。
【請求項６】
当該装置に着脱可能な外部閃光発光ユニットと、
前記先幕シャッタの全開タイミングから前記外部閃光発光ユニットにより閃光発光するまでの遅延時間を記憶する不揮発メモリと、
を有し、
前記不揮発メモリは、前記外部閃光発光ユニットに配置され、
前記制御手段は、前記外部閃光発光ユニット内の前記不揮発メモリに記憶された前記遅延時間を読み出し、前記差分時間に加算して差分時間とし前記外部閃光発光ユニットによる閃光発光が照射されない前記撮像領域を求める、
ことを特徴とする請求項４記載の撮像装置。
【手続補正２】
【補正対象書類名】明細書
【補正対象項目名】０００７
【補正方法】変更
【補正の内容】
【０００７】
本発明の主要な局面に係る撮像装置は、シャッタ速度である所定の同調速を有するフォーカルプレーンシャッタと、被写体を、フォーカルプレーンシャッタを介して撮像して画像データを得る撮像面を有する撮像手段と、被写体を照明する閃光を発光する閃光発光手段と、撮像手段によって得られた画像データをライブビュー画像として表示する表示手段と、閃光発光手段を発光動作させて撮像手段により被写体を撮像する際に必要とされるフォーカルプレーンシャッタの同調速を算出し設定する同調速設定手段と、同調速設定手段により設定された設定同調速がフォーカルプレーンシャッタの同調速よりも高速の場合、撮像面のうち閃光発光が照射されると判定される撮像領域のみから画像データを切り出し、撮像領域から切り出した画像データをライブビュー画像として表示させる制御手段とを具備する。
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
撮影画像から特定の被写体の画像を検出する画像検出手段と、
前記画像検出手段により検出される前記被写体から発生される音声を検出する音声検出手段と、
前記画像検出手段により検出された前記被写体の画像の変化を検出する画像変化検出手段とを有し、
前記画像変化検出手段により検出された前記被写体の画像が変化したタイミングを基に、前記被写体の画像に当該被写体から発生された音声を同期させて前記画像及び前記音声を記録することを特徴とする画像処理装置。
【請求項２】
撮影画像から特定の被写体の画像を検出する画像検出手段と、
前記画像検出手段により検出される前記被写体から発生される音声を検出する音声検出手段と、
前記画像検出手段により検出された前記被写体の画像の変化を検出する画像変化検出手段と、
前記音声検出手段での検出結果及び前記画像変化検出手段での検出結果に基づいて、前記被写体の画像に対する当該被写体から発生された音声の遅れを検出する遅れ検出手段と、
前記遅れ検出手段により検出された遅れに応じて前記被写体から発生された音声を補正する音声補正手段とを有し、
前記被写体の画像及び前記音声補正手段により補正された音声を記録することを特徴とする画像処理装置。
【請求項３】
前記音声検出手段は、音圧レベル及び周波数帯の少なくとも１つに基づいて、前記被写体から発生される音声を検出することを特徴とする請求項１又は２記載の画像処理装置。
【請求項４】
前記音圧レベルの閾値及び前記周波数帯を撮影モードに応じて設定することを特徴とする請求項３記載の画像処理装置。
【請求項５】
前記画像検出手段は、撮影モードに応じて前記被写体を特定し検出することを特徴とする請求項１〜４の何れか１項に記載の画像処理装置。
【請求項６】
前記画像変化検出手段は、前記被写体の画像の大きさの変化、前記被写体の画像の明るさの変化、及び前記被写体の画像の移動の少なくとも１つを前記被写体の画像の変化として検出することを特徴とする請求項１〜５の何れか１項に記載の画像処理装置。
【請求項７】
撮影画像から特定の被写体の画像を検出する画像検出工程と、
前記画像検出工程にて検出される前記被写体から発生される音声を検出する音声検出工程と、
前記画像検出工程にて検出された前記被写体の画像の変化を検出する画像変化検出工程と、
前記画像変化検出工程にて検出された前記被写体の画像が変化したタイミングを基に、前記被写体の画像に当該被写体から発生された音声を同期させて前記画像及び前記音声を記録する記録工程とを有することを特徴とする画像処理方法。
【請求項８】
撮影画像から特定の被写体の画像を検出する画像検出工程と、
前記画像検出工程にて検出される前記被写体から発生される音声を検出する音声検出工程と、
前記画像検出工程にて検出された前記被写体の画像の変化を検出する画像変化検出工程と、
前記音声検出工程での検出結果及び前記画像変化検出工程での検出結果に基づいて、前記被写体の画像に対する当該被写体から発生された音声の遅れを検出する遅れ検出工程と、
前記遅れ検出工程にて検出された遅れに応じて前記被写体から発生された音声を補正する音声補正工程と、
前記被写体の画像及び前記音声補正工程にて補正された音声を記録する記録工程とを有することを特徴とする画像処理方法。
【請求項９】
撮影画像から特定の被写体の画像を検出する画像検出ステップと、
前記画像検出ステップにて検出される前記被写体から発生される音声を検出する音声検出ステップと、
前記画像検出ステップにて検出された前記被写体の画像の変化を検出する画像変化検出ステップと、
前記画像変化検出ステップにて検出された前記被写体の画像が変化したタイミングを基に、前記被写体の画像に当該被写体から発生された音声を同期させて前記画像及び前記音声を記録する記録ステップとをコンピュータに実行させるためのプログラム。
【請求項１０】
撮影画像から特定の被写体の画像を検出する画像検出ステップと、
前記画像検出ステップにて検出される前記被写体から発生される音声を検出する音声検出ステップと、
前記画像検出ステップにて検出された前記被写体の画像の変化を検出する画像変化検出ステップと、
前記音声検出ステップでの検出結果及び前記画像変化検出ステップでの検出結果に基づいて、前記被写体の画像に対する当該被写体から発生された音声の遅れを検出する遅れ検出ステップと、
前記遅れ検出ステップにて検出された遅れに応じて前記被写体から発生された音声を補正する音声補正ステップと、
前記被写体の画像及び前記音声補正ステップにて補正された音声を記録する記録ステップとをコンピュータに実行させるためのプログラム。
【手続補正２】
【補正対象書類名】明細書
【補正対象項目名】０００６
【補正方法】変更
【補正の内容】
【０００６】
本発明に係る画像処理装置は、撮影画像から特定の被写体の画像を検出する画像検出手段と、前記画像検出手段により検出される前記被写体から発生される音声を検出する音声検出手段と、前記画像検出手段により検出された前記被写体の画像の変化を検出する画像変化検出手段とを有し、前記画像変化検出手段により検出された前記被写体の画像が変化したタイミングを基に、前記被写体の画像に当該被写体から発生された音声を同期させて前記画像及び前記音声を記録することを特徴とする。
本発明に係る画像処理装置は、撮影画像から特定の被写体の画像を検出する画像検出手段と、前記画像検出手段により検出される前記被写体から発生される音声を検出する音声検出手段と、前記画像検出手段により検出された前記被写体の画像の変化を検出する画像変化検出手段と、前記音声検出手段での検出結果及び前記画像変化検出手段での検出結果に基づいて、前記被写体の画像に対する当該被写体から発生された音声の遅れを検出する遅れ検出手段と、前記遅れ検出手段により検出された遅れに応じて前記被写体から発生された音声を補正する音声補正手段とを有し、前記被写体の画像及び前記音声補正手段により補正された音声を記録することを特徴とする。
【手続補正３】
【補正対象書類名】明細書
【補正対象項目名】０００７
【補正方法】変更
【補正の内容】
【０００７】
本発明によれば、対象の被写体の画像に対し、当該被写体から発生された音声が遅れるシーンであっても、ユーザーが撮影後に編集処理を行うことなく、撮影動作のみで画像と音声のタイミングを一致させた音声付動画を得ることができる。
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
２値データを入力する手段と、
前記入力された２値データ信号から第１予測値を得る第１予測器と、
前記２値データ信号と前記第１予測値との差分値を算出する減算器と、
前記差分値を、前記差分値が０に近いほど、２進値”１”のビット数が少ない符号に変換する符号化手段と、
前記符号化手段の出力符号と、直前の出力符号との間で排他的論理和をとり、得られた２値信号を伝送媒体に出力する第１演算手段と、
前記伝送媒体から読み出した前記２値信号を、直前に読み出した２値信号との間で排他的論理和をとる第２演算手段と、
前記符号化手段における変換に従い前記第２演算手段の出力を対応する値に変換する復号化手段と、
前記復号化手段の出力に第２予測値を加算する加算器と、
前記加算器から出力された２値データを出力する手段と、
前記加算器から出力された２値データから、前記第２予測値を得る第２予測器
とを有することを特徴とするデータ伝送装置。
【請求項２】
前記第１予測手段は、前記入力された２値データを所定ビット数遅延させることにより前記第１予測値を得、前記第２予測手段は、前記加算器から出力された２値データを前記所定ビット数遅延させることにより前記第２予測値を得ることを特徴とする請求項１に記載のデータ伝送装置。
【請求項３】
前記入力された２値データと前記第１予測値はそれぞれｎビットであり、前記減算器は、前記減算により得られるｎ＋１ビットのＭＳＢを除いた補数表現のｎビットデータとして出力することを特徴とする請求項１または２に記載のデータ伝送装置。
【請求項４】
２値データを入力するステップと、
前記入力された２値データ信号から第１予測値を得る第１予測ステップと、
前記２値データ信号と前記第１予測値との差分値を算出する減算ステップと、
前記差分値を、前記差分値が０に近いほど、２進値”１”のビット数が少ない符号に変換する符号化ステップと、
前記符号化ステップの出力符号と、直前の出力符号との間で排他的論理和をとり、得られた２値信号を伝送媒体に出力する第１演算ステップと、
前記伝送媒体から読み出した前記２値信号を、直前に読み出した２値信号との間で排他的論理和をとる第２演算ステップと、
前記符号化ステップにおける変換に従い前記第２演算ステップの出力を対応する値に変換する復号化ステップと、
前記復号化ステップの出力に第２予測値を加算する加算ステップと、
前記加算ステップから出力された２値データを出力するステップと、
前記加算ステップから出力された２値データから、前記第２予測値を得る第２予測ステップ
とを有することを特徴とするデータ伝送方法。
【手続補正２】
【補正対象書類名】明細書
【補正対象項目名】００１０
【補正方法】変更
【補正の内容】
【００１０】
本発明に係るデータ伝送装置は、２値データを入力する手段と、前記入力された２値データ信号から第１予測値を得る第１予測器と、前記２値データ信号と前記第１予測値との差分値を算出する減算器と、前記差分値を、前記差分値が０に近いほど、２進値”１”のビット数が少ない符号に変換する符号化手段と、前記符号化手段の出力符号と、直前の出力符号との間で排他的論理和をとり、得られた２値信号を伝送媒体に出力する第１演算手段と、前記伝送媒体から読み出した前記２値信号を、直前に読み出した２値信号との間で排他的論理和をとる第２演算手段と、前記符号化手段における変換に従い前記第２演算手段の出力を対応する値に変換する復号化手段と、前記復号化手段の出力に第２予測値を加算する加算器と、前記加算器から出力された２値データを出力する手段と、前記加算器から出力された２値データから、前記第２予測値を得る第２予測器とを有することを特徴とする。
【手続補正３】
【補正対象書類名】明細書
【補正対象項目名】００１１
【補正方法】変更
【補正の内容】
【００１１】
本発明に係るデータ伝送方法は、２値データを入力するステップと、前記入力された２値データ信号から第１予測値を得る第１予測ステップと、前記２値データ信号と前記第１予測値との差分値を算出する減算ステップと、前記差分値を、前記差分値が０に近いほど、２進値”１”のビット数が少ない符号に変換する符号化ステップと、前記符号化ステップの出力符号と、直前の出力符号との間で排他的論理和をとり、得られた２値信号を伝送媒体に出力する第１演算ステップと、前記伝送媒体から読み出した前記２値信号を、直前に読み出した２値信号との間で排他的論理和をとる第２演算ステップと、前記符号化ステップにおける変換に従い前記第２演算ステップの出力を対応する値に変換する復号化ステップと、前記復号化ステップの出力に第２予測値を加算する加算ステップと、前記加算ステップから出力された２値データを出力するステップと、前記加算ステップから出力された２値データから、前記第２予測値を得る第２予測ステップとを有することを特徴とする。
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
被検体を撮影した一連の複数の断層画像の各々から、椎体領域を抽出する椎体領域抽出手段と、
前記椎体領域抽出手段によって抽出された椎体領域について、被検体体軸方向における連続性を評価することにより、抽出結果が正しいか否かを判定する判定手段と、
前記判定手段によって抽出結果が正しくないと判定された断層画像について、抽出した椎体領域を補正する補正手段と、
を備えることを特徴とする画像処理装置。
【請求項２】
前記椎体領域抽出手段は、
前記断層画像から体領域を抽出する体領域抽出手段と、
前記体領域抽出手段によって抽出された体領域について、椎体領域を含む関心領域を設定する関心領域設定手段と、を備え、
前記関心領域設定手段によって設定された関心領域から、閾値処理によって椎体領域を抽出することを特徴とする請求項１に記載の画像処理装置。
【請求項３】
前記判定手段は、
一連の断層画像から抽出された各椎体領域の重心座標について、体軸方向の連続性を示す近似直線または近似曲線を算出する算出手段を備え、
前記算出手段によって算出された近似直線または近似曲線と、前記重心座標とのずれが所定値より大きい断層画像について、椎体領域の抽出結果が正しくないと判定することを特徴とする請求項１又は請求項２に記載の画像処理装置。
【請求項４】
前記補正手段は、抽出結果が正しくないと判定された断層画像について、当該断層画像における椎体領域を、前後の断層画像における椎体領域に基づき補間することを特徴とする請求項１乃至請求項３のいずれかに記載の画像処理装置。
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過していることを検知して検知信号を出力する検知手段と、前記検知手段から出力された検知信号に基づいて成立する始動条件の成立により各々を識別可能な複数種類の識別情報を変動表示する変動表示装置とを備え、前記識別情報の変動表示の表示結果が予め定められた特定表示結果となったときに、遊技者にとって有利な特定遊技状態に制御する遊技機であって、
所定の初期設定処理を実行した後、制御データに基づき遊技の進行を制御する遊技制御処理を実行する遊技制御手段を備え、
前記遊技制御手段は、
数値データを更新する数値更新手段と、
前記検知手段から前記検知信号が出力されたときに、該検知信号の出力に基づいて前記始動条件が成立したか否かに関わらずに、前記数値更新手段によって更新された数値データを抽出し、数値データ格納領域に格納する数値データ抽出手段と、
前記数値データ格納領域に前記数値データ抽出手段により抽出された数値データが格納された後、該格納されている数値データが読み出されるまでは、前記数値データ抽出手段により新たな数値データの格納を制限して、該格納されている数値データを保持する数値データ保持手段と、
前記始動条件が成立したときに、前記数値データ格納領域に格納されている数値データを読み出す数値データ読出手段と、
前記数値データ読出手段が読み出した数値データを保留記憶として、予め定められた所定個数まで記憶する保留記憶手段と、
前記変動表示装置において前記識別情報の変動表示が終了した後に、前記保留記憶手段に記憶された保留記憶を読み出し、該読み出した保留記憶に基づいて前記変動表示装置において前記識別情報の変動表示を新たに開始させる変動表示開始手段と、
前記保留記憶手段に保留記憶として記憶された数値データを用いて、前記変動表示開始手段により開始される前記識別情報の表示結果により前記特定遊技状態に制御するか否かを、該識別情報の変動表示の表示結果が導出されるよりも前に決定する事前決定手段と、
前記保留記憶手段に保留記憶が前記所定個数まで記憶された状態で前記変動表示装置において前記識別情報の変動表示が終了し、前記変動表示開始手段により新たな変動表示が開始されるときに、前記数値データ格納領域に格納されている数値データを読み出すことにより、前記数値データ保持手段による新たな数値データの格納の制限を解除する保持解除手段とを備える
ことを特徴とする遊技機。
【請求項２】
前記始動条件は、前記検知手段から前記検知信号が所定時間継続して出力されたことを条件として成立する
ことを特徴とする請求項１に記載の遊技機。
【請求項３】
前記遊技制御手段は、前記数値データ格納領域に前記数値データ抽出手段により数値データが格納されたときに、数値データが新たに格納された旨を示す格納情報を設定する格納情報設定手段をさらに備え、
前記始動条件は、前記検知手段から前記検知信号が出力され、さらに前記格納情報設定手段に前記格納情報が設定されていることを条件として成立する
ことを特徴とする請求項１または２に記載の遊技機。
【請求項４】
前記遊技制御手段は、
マイクロコンピュータ毎に一意な識別情報が割り当てられた遊技制御用マイクロコンピュータによって構成されるとともに、
少なくとも電源投入時および／またはリセット時に行われる前記初期設定処理において、当該遊技制御用マイクロコンピュータに割り当てられた識別情報に基づいて、前記数値更新手段の数値データとして初期値を設定する初期値設定手段をさらに備える
ことを特徴とする請求項１乃至３のいずれか１項に記載の遊技機。
【請求項５】
前記数値更新手段は、前記遊技制御手段を動作させるための動作クロックとは周期の異なる動作クロックを入力して前記数値データを更新する
ことを特徴とする請求項１乃至４のいずれか１項に記載の遊技機。
【請求項６】
前記数値更新手段は、所定周期の動作クロックを入力して前記数値データを更新し、
前記遊技機は、前記数値更新手段に入力される動作クロックの入力状態に基づき、前記数値更新手段の動作状態に異常が発生したか否かを判定する動作クロック異常判定手段をさらに備える
ことを特徴とする請求項１乃至５のいずれか１項に記載の遊技機。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と、
前記役の抽選結果が特別役当選であって前記有効位置に特別絵柄の組合せが停止した場合、特別役入賞成立として遊技状態を特別遊技状態に移行させる特別遊技状態移行手段と、
前記特別遊技状態下で遊技媒体が予め定めた所定枚数払い出された場合、前記特別遊技状態を終了させる特別遊技状態終了手段と
を備えた遊技機において、
遊技状態に関わる状態情報を記憶する状態情報記憶手段と、
前記役の当選確率に関わる抽選情報を記憶する抽選情報記憶手段と、
前記状態情報記憶手段に記憶されている状態情報に基づいて、前記抽選手段が前記役の抽選を行う場合に用いる抽選情報を選択する抽選情報選択手段と、
前記特別遊技状態下で前記停止操作手段に特定操作がなされたことに基づいて、前記有効位置に特定組合せを停止させる停止制御手段と
を備え、
さらに、前記特別遊技状態下で前記有効位置に前記特定組合せが停止した場合に、前記状態情報記憶手段に第１状態情報が記憶されていれば、当該第１状態情報に代えて第２状態情報を前記状態情報記憶手段に記憶させる第１切替手段と、前記特別遊技状態下で前記有効位置に前記特定組合せが停止した場合に、前記状態情報記憶手段に前記第２状態情報が記憶されていれば、当該第２状態情報に代えて前記第１状態情報を前記状態情報記憶手段に記憶させる第２切替手段と、のうち少なくとも一方を備え、
前記状態情報記憶手段は、前記特別遊技状態が終了した際に記憶されている第１状態情報又は第２状態情報を、予め定めた所定条件が成立するまで記憶保持するものであって、
前記抽選情報選択手段は、遊技状態が前記特別遊技状態でない状況で前記状態情報記憶手段に前記第１状態情報が記憶されていることに基づいて、第１抽選情報を選択し、遊技状態が前記特別遊技状態でない状況で前記状態情報記憶手段に前記第２状態情報が記憶されていることに基づいて、前記第１抽選情報より少なくとも第１役の当選確率が高く設定された第２抽選情報を選択することを特徴とする遊技機。
【請求項２】
前記抽選情報選択手段は、遊技状態が前記特別遊技状態である場合、前記状態情報記憶手段に前記第１状態情報が記憶されていることに基づいて、特別遊技状態用第１抽選情報を選択し、前記状態情報記憶手段に前記第２状態情報が記憶されていることに基づいて、前記特別遊技状態用第１抽選情報と役の当選確率が異なる特別遊技状態用第２抽選情報を選択することを特徴とする請求項１に記載の遊技機。
【請求項３】
遊技状態が前記特別遊技状態以外の遊技状態から前記特別遊技状態に移行した場合、前記状態情報記憶手段に前記第２状態情報を記憶させる第２状態情報設定手段を備えたことを特徴とする請求項１又は請求項２に記載の遊技機。
【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
被検体のマルチスライスの画像の内の少なくとも１枚の画像を表示する表示手段と、
前記表示手段に表示する画像を切り替える切り替え手段と、
次に撮影するスライス位置を表すスライス位置情報を表示するスライス位置表示手段を備えた磁気共鳴イメージング装置において、
前記スライス位置表示手段は、前記切り替え手段による表示画像の切り替えに応じて、該切り替えられた表示画像のスライス位置を含むように前記スライス位置情報を変更することを特徴とする磁気共鳴イメージング装置。
【請求項２】
被検体のマルチスライスの画像の内の少なくとも１枚の画像を表示する表示手段と、
前記表示手段に表示する画像を切り替える切り替え手段と、
次に撮影するスライス位置を表すスライス位置情報を表示するスライス位置表示手段を備えた磁気共鳴イメージング装置において、
前記切り替え手段は、前記スライス位置表示手段によるスライス位置情報の変更に応じて、該切り替えられたスライス位置情報に最も近い或いは同じ位置にあるスライスの画像を前記画像表示手段に表示することを特徴とする磁気共鳴イメージング装置。
【請求項３】
請求項１又は２記載の磁気共鳴イメージング装置において、
前記スライス位置情報は、前記マルチスライスの方向と異なる１以上の方向における前記次に撮影するスライス位置を表す情報であることを特徴とする磁気共鳴イメージング装置。
【請求項４】
請求項１乃至３のいずれか一項に記載の磁気共鳴イメージング装置において、
前記切り替え手段による表示画像の切り替えと、前記スライス位置表示手段によるスライス位置情報の変更と、の連動のＯＮ／ＯＦＦを制御するＯＮ／ＯＦＦ制御手段を備えたことを特徴とする磁気共鳴イメージング装置。
【手続補正２】
【補正対象書類名】明細書
【補正対象項目名】０００９
【補正方法】変更
【補正の内容】
【０００９】
上記の課題を解決するために、本発明は、表示画像の切り替えに応じて、該切り替えられた表示画像のスライス位置を含むように、次に撮影するスライス位置を表すスライス位置情報を変更する。或いは、スライス位置情報の変更に応じて、該切り替えられスライス位置情報に最も近い或いは同じ位置にあるスライスの画像を表示する。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数の始動領域のいずれかを遊技媒体が通過した後、可変表示の開始条件が成立したことにもとづいて各々を識別可能な複数種類の識別情報の可変表示を開始し、表示結果を導出表示する可変表示手段を備え、該可変表示手段において導出表示された表示結果があらかじめ定められた特定表示結果となったことにもとづいて特定遊技状態となる遊技機であって、
前記特定遊技状態には、可変入賞装置を所定回開放状態にする第１特定遊技状態と、前記可変入賞装置を前記所定回開放状態にするが前記第１特定遊技状態に比べて不利な第２特定遊技状態とがあり、
前記複数の始動領域のいずれかを遊技媒体が通過したときに数値データを抽出し、抽出した数値データを所定の上限数を限度に保留記憶として保留記憶手段に記憶させる数値データ抽出手段と、
前記開始条件が成立したことにもとづいて、前記保留記憶手段に記憶されている数値データが前記第１特定遊技状態に対応する第１判定値または前記第２特定遊技状態に対応する第２判定値に合致するか否かを判定することによって、前記第１特定遊技状態または前記第２特定遊技状態に制御するか否かを識別情報の可変表示結果が導出表示される以前に決定する事前決定手段と、
前記複数の始動領域のいずれかを遊技媒体が通過したことにもとづいて、前記数値データ抽出手段により抽出された数値データが前記第１判定値または前記第２判定値に合致するか否かを判定する始動時判定手段と、
前記始動時判定手段による判定結果にもとづいて、前記始動時判定手段による判定の対象となった遊技媒体の通過にもとづく可変表示の前記開始条件が成立する以前に実行される可変表示において、遊技機に設けられている演出装置で前記第１特定遊技状態または前記第２特定遊技状態に制御されることを予告する予告演出を実行する予告演出実行手段とを備え、
前記事前決定手段は、前記始動領域に応じて異なる数の前記第１判定値および前記第２判定値を用いて、前記第１特定遊技状態または前記第２特定遊技状態に制御するか否かを決定する
ことを特徴とする遊技機。
【手続補正２】
【補正対象書類名】明細書
【補正対象項目名】００１０
【補正方法】変更
【補正の内容】
【００１０】
本発明による遊技機は、複数の始動領域（例えば、第１始動入賞口１３、第２始動入賞口１４）のいずれかを遊技媒体（例えば、遊技球）が通過した後、可変表示の開始条件（例えば、第１特別図柄および第２特別図柄のいずれの可変表示も実行されていない状態であって、大当り遊技状態でもないこと）が成立したことにもとづいて各々を識別可能な複数種類の識別情報（例えば、第１特別図柄、第２特別図柄）の可変表示を開始し、表示結果を導出表示する可変表示手段（例えば、第１特別図柄表示器８ａ、第２特別図柄表示器８ｂ）を備え、可変表示手段において導出表示された表示結果があらかじめ定められた特定表示結果（例えば、大当り図柄）となったことにもとづいて特定遊技状態（例えば、大当り遊技状態）となる遊技機であって、特定遊技状態には、可変入賞装置を所定回（例えば、１５回）開放状態にする第１特定遊技状態（例えば、確変大当りや通常大当りの発生にもとづく大当り遊技状態：突然確変大当りＢを第１特定遊技状態にしてもよい）と、可変入賞装置を所定回開放状態にするが第１特定遊技状態に比べて不利な第２特定遊技状態（例えば、突然確変大当りＡや突然確変大当りＢの発生にもとづく大当り遊技状態：突然確変大当りＡを第２特定遊技状態にしてもよい）とがあり、複数の始動領域のいずれかを遊技媒体が通過したときに数値データ（例えば、ランダムＲやランダム１）を抽出し、抽出した数値データを所定の上限数（例えば、４）を限度に保留記憶として保留記憶手段（例えば、第１保留記憶バッファ、第２保留記憶バッファ）に記憶させる数値データ抽出手段（例えば、遊技制御用マイクロコンピュータ５６０におけるステップＳ２１４Ａ，Ｓ２１４Ｂの処理を実行する部分）と、開始条件が成立したことにもとづいて、保留記憶手段に記憶されている数値データが第１特定遊技状態に対応する第１判定値（例えば、確変大当りおよび通常大当りに対応する判定値：図９参照）または第２特定遊技状態に対応する第２判定値（例えば、突然確変大当りＡおよび突然確変大当りＢに対応する判定値：図９参照）に合致するか否かを判定することによって、第１特定遊技状態または第２特定遊技状態に制御するか否かを識別情報の可変表示結果が導出表示される以前に決定する事前決定手段（例えば、遊技制御用マイクロコンピュータ５６０におけるステップＳ６１の処理を実行する部分）と、複数の始動領域のいずれかを遊技媒体が通過したことにもとづいて、数値データ抽出手段により抽出された数値データが第１判定値または第２判定値に合致するか否かを判定する始動時判定手段（例えば、遊技制御用マイクロコンピュータ５６０におけるステップＳ２１７Ａ，Ｓ２１７Ｂの処理を実行する部分）と、始動時判定手段による判定結果にもとづいて、始動時判定手段による判定の対象となった遊技媒体の通過にもとづく可変表示の開始条件が成立する以前に実行される可変表示において、遊技機に設けられている演出装置で第１特定遊技状態または第２特定遊技状態に制御されることを予告する予告演出を実行する予告演出実行手段（例えば、演出制御用マイクロコンピュータ１００におけるステップＳ８１０８の処理を実行する部分）とを備え、事前決定手段は、始動領域に応じて異なる数の第１判定値および第２判定値を用いて、第１特定遊技状態または第２特定遊技状態に制御するか否かを決定する（図９（Ａ），（Ｂ）参照）ことを特徴とする。
そのような構成によれば、大当りの態様に変化をもたせることによって、飽きを生じさせずに遊技者に与えられる遊技の興趣を高めることができる。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と、
前記役の抽選結果が特別役当選であって前記有効位置に特別絵柄の組合せが停止した場合、特別役入賞成立として遊技状態を特別遊技状態に移行させる特別遊技状態移行手段と、
前記特別遊技状態下で遊技媒体が予め定めた所定数払い出された場合、前記特別遊技状態を終了させる特別遊技状態終了手段と
を備えた遊技機において、
遊技状態に関わる状態情報を記憶する状態情報記憶手段と、
前記役の当選確率に関わる抽選情報を記憶する抽選情報記憶手段と、
前記状態情報記憶手段に記憶されている状態情報に基づいて、前記抽選手段が前記役の抽選を行う場合に用いる抽選情報を選択する抽選情報選択手段と、
前記特別遊技状態下で第１役に当選するとともに前記有効位置に前記第１組合せが停止した場合、前記状態情報記憶手段に第１状態情報が記憶されていれば、当該第１状態情報に代えて第２状態情報を前記状態情報記憶手段に記憶させる情報変更手段と
を備え、
前記状態情報記憶手段は、前記特別遊技状態が終了した際に記憶されている第１状態情報又は第２状態情報を、予め定めた所定条件が成立するまで記憶保持するものであって、
前記抽選情報選択手段は、遊技状態が前記特別遊技状態でない状況で前記状態情報記憶手段に前記第１状態情報が記憶されていることに基づいて、第１抽選情報を選択し、遊技状態が前記特別遊技状態でない状況で前記状態情報記憶手段に前記第２状態情報が記憶されていることに基づいて、前記第１抽選情報より少なくとも第１役の当選確率が高く設定された第２抽選情報を選択し、
さらに、
第２役に当選するとともに前記有効位置に第２組合せが停止した場合、第１所定数の遊技媒体を払い出す第１特典を付与する第１特典付与手段と、
第３役に当選するとともに前記有効位置に第３組合せが停止した場合、前記第１所定数より少ない第２所定数の遊技媒体を払い出す第２特典を付与する第２特典付与手段と、
遊技状態が前記特別遊技状態であることに基づいて選択されるとともに、前記第２役と前記第３役に共に当選となる機会が生じるように構成された特別抽選情報と、
前記第２役と前記第３役に共に当選している状況において、前記停止操作手段に第１特定操作がなされた場合、前記有効位置に第２組合せを停止させ、前記停止操作手段に第２特定操作がなされた場合、前記有効位置に第３組合せを停止させる停止制御手段と
を備えたことを特徴とする遊技機。
【請求項２】
前記停止制御手段は、前記第２役と前記第３役に共に当選している状況において、前記停止操作手段に前記第１特定操作以外の操作がなされた場合、前記有効位置に前記第３組合せを停止させることを特徴とする請求項１に記載の遊技機。
【請求項３】
前記第２特典付与手段は、前記第２特典として最小数の遊技媒体を払い出すことを特徴とする請求項１又は請求項２に記載の遊技機。
【請求項４】
前記第１特典付与手段は、前記第１特典として１遊技回に払出可能な最大数の遊技媒体を払い出すことを特徴とする請求項１乃至請求項３のいずれかに記載の遊技機。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
特別役に当選しているか否かを示唆する補助演出を実行可能な補助演出実行手段と、
前記役の抽選結果に基づいて前記補助演出を実行するか否かを決定する実行決定手段と、
前記実行決定手段が前記補助演出を実行すると決定した場合、前記補助演出の実行時間に関わる時間情報を設定する設定手段と、
前記設定手段の設定した時間情報と対応する補助演出を実行させるべく前記補助演出実行手段を実行制御する実行制御手段と、
前記時間情報が設定されている場合、前記絵柄の循環表示が終了した後に前記時間情報と対応する時間を経過したか否かを判断する判断手段と
を備え、
前記実行制御手段は、前記判断手段が前記時間を経過していないと判断したことに基づいて、前記補助演出を次遊技回も継続させるべく前記補助演出実行手段を実行制御することを特徴とする遊技機。
【請求項２】
前記特別役に当選するとともに特別役入賞が非成立である場合、前記実行制御手段は、前記設定手段の設定した時間情報と対応する時間の経過時又は経過した後に前記補助演出を終了させるべく前記補助演出実行手段を実行制御することを特徴とする請求項１に記載の遊技機。
【請求項３】
前記特別役に当選していない状況で前記実行決定手段が前記補助演出を実行すると決定し、前記判断手段が前記時間を経過していないと判断するとともに次遊技回を開始させるべく前記開始操作手段が操作された場合、前記補助演出を途中終了させるべく前記補助演出実行手段を制御する途中終了手段を備えたことを特徴とする請求項１又は請求項２に記載の遊技機。
【請求項４】
前記設定手段は、複数回の遊技を行うことが可能な時間と対応する時間情報を設定することを特徴とする請求項１乃至請求項３のいずれかに記載の遊技機。